(57)【要約】【課題】所望の位置には滑動可能であって、その位置にあっては不用意に動く事が無いような取付け方法を、簡便な部材の組み合わせによって可能とする保持体の取付構造を提供する。【解決手段】一対のガイド溝１１ａ、１１ｂに取付け機構を介して保持体である角棒８を取り付けるようにしたものであって、取付け機構はガイド溝１１ａ、１１ｂに対して所定姿勢で互いに組み合わせることによって離脱しないように係合する複数のブロック体１ａ、１ｂと、所定姿勢を保つことによって組み合わせたブロック体１ａ、１ｂの係合が離れないようにする離脱防止手段たる角棒８とを具備して、ガイド溝１１ａ、１１ｂに沿ってブロック体１ａ、１ｂを滑動可能とした。【選択図】図２
2004125018.tif 000002
【特許請求の範囲】
【請求項１】
対向する一対のガイド溝に取付け機構を介して、保持体を取り付けるようにしたものであって、取付け機構は前記ガイド溝に対して所定姿勢で互いに組み合わせることによって係合する複数のブロック体と、所定姿勢を保つことによって組み合わせたブロック体の係合が離脱しないようにする離脱防止手段を具備してなり、前記ガイド溝に沿って前記ブロック体を滑動可能としていることを特徴とする保持体の取付け構造。
【請求項２】
前記取付け機構は略同一の形状をした２個のブロック体を組み合わせて、一体となっている請求項１記載の保持体の取付け構造。
【請求項３】
対向する一対のガイド溝が円柱の底面近傍の外周及び上面近傍の外周にあって互いに向き合う円環状のものである請求項１記載の保持体の取付け構造。
【請求項４】
対向する一対のガイド溝が厚みを持つパネル面に凹部を形成し該凹部の内側で直線状で平行に向き合っている請求項１記載の保持体の取付け構造。
【請求項５】
前記離脱防止手段が、保持体の一部を形成している請求項３、４記載の保持体の取付け構造。
【請求項６】
保持体が案内板等の掲示物である請求項５記載の保持体の取付け構造。
【請求項７】
保持体が壁面に取り付けられる棚等のオプションである請求項５記載の保持体の取付け構造。
【発明の詳細な説明】
【０００１】
【発明の属する技術分野】
本発明はパーティションスタンドや壁面にオプション部品等の保持体を取り付けるのに好適な保持体の取付け構造に関するものである。
【０００２】
【従来の技術】
従来パーティションスタンド等に誘導のために案内板などの保持体を取り付ける構造としては、支柱の上端に複数の溝を設けて保持体を差し込んで取り付けるようにしたものが知られている。（例えば、特許文献１参照）。
【０００３】
あるいは、壁面にトレーを始めとする各種オプション部品などの保持体を取り付ける構造としては、掛止溝の開口縁から傾斜させた状態から使用位置になるまで保持体を回動させながら嵌入し、使用位置において静止させるようにしたものが知られている。（例えば、特許文献２参照）
【０００４】
【特許文献１】
実公昭６０−４１７
【特許文献２】
特開平１１−１３１６５３
【０００５】
【発明が解決しようとする課題】
ところが、前記パーティションスタンドにおける取付け構造は、設けられた溝の部分で位置が規制され、微妙な角度の調整はパーティションスタンド自体をずらして行なわねばならない。単純にパーティションスタンド上部に開口穴を設けて掲示物等の保持体を差し込むようにしたものは、取り扱いは簡単であるが不用意にはずされてしまったり、風などの影響で向きがねじれてしまったりする等の不具合がある。
【０００６】
また前記壁面にオプション部品等の保持体を取り付ける構造にあって、ねじを使って固定するか単に引っかけた状態にて掛止するものでは、僅かな弾みで脱落してしまうといった問題があった。さらに簡便な方法としてはパネルに水平方向に溝を設けてその部分にオプション部品等の保持体を掛止する方法は広く利用されている。これなどは水平方向に滑動可能なものも知られているが、やはり係り溝との関係や取り付け時の簡便さとの兼ね合いで、たやすく脱落してしまうものが多い。
【０００７】
そこで、向きを変えたり所望の位置には移動させる際に滑動可能であって、その位置にあっては不用意に脱落する事が無いような取付け方法を極めて簡便な部材の組み合わせで可能とする保持体の取付構造を提供する。
【０００８】
【課題を解決するための手段】
すなわち、請求項１にかかる発明は、対向する一対のガイド溝に取付け機構を介して、保持体を取り付けるようにしたものであって、取付け機構はガイド溝に対して所定姿勢で互いに組み合わせることによって係合する複数のブロック体と、所定姿勢を保つことによって組み合わせたブロック体の係合が離脱しないようにする離脱防止手段を具備して、ガイド溝に沿ってブロック体を滑動可能としている保持体の取付け構造である。
【０００９】
このような保持体の取付け構造であれば、保持体を被保持体に取り付ける場合には組み合わせる複数のブロック体と取付けるべき保持体を用意すればよく、向きを変えたり所望の位置に移動させる際には滑動可能であってその位置にあっては不用意に脱落する事が無いような取付け方法を極めて簡便な部材の組み合わせによって実現することができる。しかも、保持体の取付けをしていない場合は被保持体の外観を、その保持体を取り付ける場合を意識させない自然な状態で保つ事ができ、被取付け体のデザインの自由度もたかめられる。
【００１０】
そして、このような複数のブロック体を略同一の形状にしておけば、保持体を取り付ける時に、その組み合わせをためらうことなく平易に作業を行なう事ができる。このブロック体は全く同一の部品からなるものであってもよい。このようなものであれば、上下左右の取付け配置の限定も少なくなり、更にブロック体を製造する金型の面数も少なくて済むようになる。
【００１１】
対向する一対のガイド溝が円柱の底面近傍の外周及び上面近傍の外周にあって互いに向き合う円環状のものである場合は、そのガイド溝に沿う形でブロック体を形成しておく事により、円環状に沿って該保持体を滑動可能にしておくのが望ましい。
【００１２】
このようなものであれば、円環に沿って微妙な角度の位置に保持体を保持することが可能となり、特に標識等のサインや、パーティションスタンドに矢印の形態をした案内板などを保持する場合に好適なものとなる。
【００１３】
また、請求項４にかかる発明は対向する一対のガイド溝が厚みを持つパネル面に凹部を形成し該凹部の内側で直線状で平行に向き合っている請求項１記載の保持体の取付け構造である。
【００１４】
このようなものであれば、係り溝との関係で単に保持体を掛止するタイプのものでは相当の係りしろを必要とするのに対して、せん断に耐えるだけのかかりしろの強度さえ確保すれば事足りる。またパネル面の周囲にエッジがまいてあって横方向から凹部に流し込みできないような場合にも有用である。すなわち、従来から、水平方向に溝を設けてその部分にオプション部品を掛止する方法は広く利用されている。これなどは水平方向に滑動可能なものも知られているが、係り溝との関係や取り付け時の簡便さとの兼ね合いでかかりしろを相当に必要とする割には、脱落に対しては有効に作用しているとはいえない。上記構成によれば、このような不都合を有効に解消することができる。
【００１５】
さらに、請求項５の発明によると、保持体が所定の位置に保持されていれば、離脱防止手段が必ず機能することになり、黙視状態で一目で確認ができ極めて安全である。また、外観上もシンプルですっきりしたものにすることができる。
【００１６】
【発明の実施の形態】
以下、本発明の実施形態を、図面を参照して説明する。
【００１７】
図１は本発明に係る取付構造を利用し、パーティションスタンド１に保持体である掲示物Ｋを取り付けたものの上部を示したものである。パーティションスタンド１の上端近傍における略円柱状をなすハウジング部分１Ｈには、底面近傍と上面近傍に互いに向き合ってガイド溝１１ａ，１１ｂが形成してある。このガイド溝１１ａ，１１ｂはパーティションベルト１０を任意の方向から係脱自在に保持するためのベルトエンドの側端部１０ａの掛止にも利用できるものである。（掛止部分の詳細は図示しない）
互いに向き合うガイド溝１１ａ，１１ｂの間に嵌め込まれているブロック体１ａ，１ｂは略同一の形状をしており、その１片は図２、図３に示すようにパーティションスタンド１のハウジング部分１Ｈに添う円弧状の面２、ガイド溝１１ａ，１１ｂに飲み込まれる形態をなす円弧状の突起部３、ブロック体１ａ，１ｂ同士を組み合わせる凸凹部４、ブロック体１ａ，１ｂの係合を離れないようにする離脱防止手段たる角棒８を受け入れる挿入孔５で構成されている。また、挿入孔５を形成する外包部分６はブロック体１ａ，１ｂが組み合わされた状態でガイド溝１１ａ、１１ｂに沿って滑動させるときの操作部分の役割を担っている。離脱防止手段たる角棒８と、ブロック体１ａ、１ｂとは、本発明の取付け機構を構成するものである。
【００１８】
ここで、パーティションスタンド１に掲示物Ｋを取り付ける手順について説明する。
【００１９】
まずパーティションスタンド１を、観覧者等を誘導すべき位置にあわせて設置する。次にパーティションベルト１０を係止して誘導路にしたり、進入制限の区画ラインを形成するなど、必要な作業を行う。その際同時に各々のパーティションスタンド１で掲示物Ｋを設置する場所を決める。
【００２０】
次に、図２に示すようにブロック体１ａの円弧状の面２をハウジング部分１Ｈにあてがい、上方に移動させることによって、突起部３を下向きのガイド溝１１ａに飲み込ませる。一方ブロック体１ｂも同様に円弧状の面２にあてがい、下方に移動させることによって、突起部３を上向きのガイド溝１１ｂに飲み込ませる。ブロック体１ａ、１ｂ同士を組み合わせる凸凹部４（図３参照）は、上下反転させることによりブロック体正面視略中央部を境として円弧に沿う一方の領域及び他方の領域に分かれて存在するので、ブロック体１ａ、１ｂの円弧２の曲線の半分より多くお互いを離間させてガイド溝１１ａ、１１ｂに飲み込ませる。そして、双方のブロック体１ａ，１ｂをガイド溝１１ａ、１１ｂに飲み込ませた状態で正面視同一線上になるまでガイド溝１１ａ、１１ｂと平行にスライドさせて上下方向に重合させる。
【００２１】
双方のブロック体１ａ、１ｂは同一線上に並んだ状態でお互いを水平方向にずらして離間させない限りハウジング内寸Ｐ１よりガイド溝１１ａ、１１ｂへ飲み込んでいる部分が大きいので、ハウジング１Ｈからは離れることがない。この状態で、互いのブロック体１ａ、１ｂが水平方向にずれないようにするために、逆Ｌ字型をなす角棒８を挿入する。この角棒８により、ガイド溝１１ａ、１１ｂに沿ってブロック体１ａ、１ｂを滑動可能にしつつブロック体１ａ、１ｂ同士が離間しないようになり、ブロック体１ａ、１ｂが組みあわさった状態を維持する離脱防止手段として機能する。角棒８と挿入孔５とはガタのない程度の嵌合でも離脱防止手段の目的を果たしているが、角棒８に設けた突起８ａ部分をボールプランジャーにしてクリック感を持たせて嵌合させるのが、望ましい。
【００２２】
挿入孔５を形成する外包部分６はブロック体１ａ、１ｂを組み合わされた状態で滑動させるとき、縦長のつまみのような形状となり、一体となったブロック体１ａ、１ｂを平面視ハウジング１Ｈを中心として、その回りを滑動しつつ回転させるときの操作部分の役割も担っている。
【００２３】
離脱防止手段である角棒８は図１及び図２に示すように掲示物Ｋのフレームの一部をなしており、外観上もどこで保持してあるかが判別つかないほど、シンプルですっきりしている。掲示物Ｋは、図示のような矢印形態の案内板Ｇを挟み込むなどして掲示する機能を有するもので、角棒８の水平部分はこの掲示物Ｋの一部のフレームを構成している。角棒８は掲示物Ｋの中心あるいはパーティションスタンド１の中心から偏心した位置でブロック体１ａ、１ｂを貫通するように設定してあり、不用意にはずれることはない。
【００２４】
すなわち、設置された状態で掲示物Ｋを持ち上げて、パーティションスタンドの位置をずらそうとしたりすることは、主催者側の意図に反して並んでいる人がやりがちなことであるが、パーティションスタンド自体、安定性確保のためそれなりに重く、重心が一致して固定されている掲示物の場合、しっかりと嵌合しているつもりでも簡単に抜けてしまうようなことが起こりうる。
【００２５】
本実施例の場合、上記のように角棒８の貫通位置が掲示物Ｋやパーティションスタンド１の重心と一致していないため、同様の所作がなされても常に斜め方向の力も働いているので簡単には抜けない。
【００２６】
掲示物Ｋを外す場合は、角棒８のほぼ中心部分を引き上げるか、ブロック体１ｂの下方に貫通する角棒８の先端部分を下から上方向へ突きあげるといった操作を意図的に行うことが必要である。
【００２７】
また、この角棒８はブロック体１ａ、１ｂ同士を組み合わせる凸凹部４の近傍において当該ブロック体１ａ、１ｂ間を貫通していることから、多少無理な力がかかった際にブロック体１ａ、１ｂがくの字にくびれて外れることを防止する上で有効に作用しており、ガイド溝１１ａ、１１ｂ部分のかかりしろのせん断強度にのみ配慮すればよい。
【００２８】
このブロック体１ａ，１ｂは樹脂成型品やダイキャストが適しており、まったく同一の部品とすれば金型の面数も最小限で済む。本実施例では挿入孔５の部分に方向性を決めるための呼び溝７、その溝７に沿って向きを決めかつ所定位置でクリック感を持たせるためのボールプランジャー８を角棒８に組み込んでいる。この呼び溝７は、保持体を構成する角棒８を介して上部の掲示物Ｋが必ずパーティションスタンド１の平面視中心に位置するように設けた案内ガイドであるが、このようにすれば、掲示物Ｋが必ずパーティションスタンド１の中心に重心を位置させることができ、あらゆる向きからの風の力を掲示物Ｋの大きなパネル面が受けて荷重が変心し、不安定になったりすることを防ぐことができる。
【００２９】
もちろん、案内ガイドを設けることなく任意の段階的な角度の選択と円弧状の滑動を
組み合わせて使用されるようなものであってもよい。
【００３０】
図４、図５は本発明に係る取付構造を利用して保持体であるトレーｔや棚Ｔ等のオプション部材が壁面１００に取り付けられる第二の実施例を示したものである。
【００３１】
厚みを持つパネルの壁面１００に凹部４２を形成し、該凹部の内側で直線状で平行に向き合っている面４３ａ，４３ｂに対向する一対のガイド溝４１ａ，４１ｂを形成する。このガイド溝４１ａ、４１ｂに対しブロック体３１ａ，３１ｂの突起部３３が飲み込んだ形で嵌り込んで、左右にスライドする。ブロック体３１ａ，３１ｂは同一線上に並んだ状態ではガイド溝４１ａ、４１ｂに飲み込んでいる部分までの高さＰ２が、平行に向き合っている面４３ａ，４３ｂ間の寸法より大きいので、パネルに形成された凹部４２からは離れることがない。ブロック体３１ａ、３１ｂを同一線上に保持するために角棒５０を挿入する。この角棒５０が離脱防止手段となっているのは第一の実施例と同様である。
【００３２】
ブッロク体４３ａ，４３ｂは角棒５０とともに壁面１００に形成された凹部４２に沿って一体的に滑動可能となる。
【００３３】
棚Ｔの場合は、巾広であるため、離脱防止手段たる角棒８とブロック体３１ａ、３１ｂからなる取付け機構を凹部４２に沿って２箇所に構成し、これらの取付け機構に棚Ｔの左右両縁近傍部を取り付けるようにするとよい。図６はそれが幅広なトレーｔである場合を示しており、この場合も左右一対に設けた取付け機構を介して対応するトレーｔの左右両縁近傍部を取り付けているものである。
【００３４】
このように、同じ組み合わせで複数横方向に並べると、棚板やトレーの巾寸法に対応したブラケットの役割をはたすことが可能である。
【００３５】
この場合は、離脱防止手段は角棒である必要は無く、より安価なパイプや線状の部材であってもよい。
【００３６】
あるいは、ブロック体の幅を多少広くして、一組の組み合わせ構造とし電話台や照明スタンドの取り付け台座のようなオプションとすることも可能である。
【００３７】
図４、図５は概念的にわかりやすくするためパネルの端面を断面的に記載しているが、本発明の取付構造を持ってすれば両端面はエッジ部材であっても途中からガイド溝を形成すればこと足りるので、大きな壁面であってパネル端面にガイド溝の露出部分が無いような場合でも本発明を適用することが可能な構造であり、陳列用のトレーや棚板で不用意に外される恐れがない程度の取り外しの手段としても好適に利用されるものとなる。
【００３８】
その他、各部の具体的構成についても上記実施形態に限られるものではなく、本発明の趣旨を逸脱しない範囲で種々変形が可能である。
【００３９】
【発明の効果】
本発明は、以上説明したような形態で実施され、特に工具を使うことなく安定した取り付け状態と、必要とされる可変要素としての滑動部分を併せ持つ保持体の取付け構造を可能とする。
【００４０】
また、円周方向に保持する必要のある案内板標識や、取り付ける保持体が無い場合の待ちうけ状態で、被保持体の取付け構造が露にならず意匠的な面でも意識されにくくすることができる。
【図面の簡単な説明】
【図１】本発明の一実施形態を示す図。
【図２】本実施形態の掲示物に対する取付け構造を示す斜視図。
【図３】本実施形態のブロック体の説明図。
【図４】本発明の第二実施形態を示す斜視図。
【図５】本発明の第二実施形態を示す説明図。
【図６】本発明の第三実施形態を示す説明図。
【符号の説明】
１ａ，１ｂ…ブロック体
２…円弧状の面
３…突起部
４…ブロック体同士を組み合わせる凸凹部
５…挿入孔
６…外包部分
８…離脱防止手段（角棒）
１１ａ，１１ｂ…ガイド溝
Ｋ…保持体（掲示物）
３１ａ，３１ｂ…ブロック体
４１ａ，４２ｂ…ガイド溝
４２…パネル面凹部
【図１】
2004125018.tif 000003
【図２】
2004125018.tif 000004
【図３】
2004125018.tif 000005
【図４】
2004125018.tif 000006
【図５】
2004125018.tif 000007
【図６】
2004125018.tif 000008